(57)【要約】【課題】断面が四角形の筒状に形成された本体内に、ガラス管を備えたランプを収容するランプ用サックにおいて、サックに対するランプの挿抜を容易にする。【解決手段】本体が、片面段ボール材２を波段部２ｂが内側となるように折曲部３で折り曲げ、端部同士が重ならない状態で端部付近をシール６で接合して、断面が矩形の筒状となるように形成されたランプ用サック１において、本体の側面に、本体の長手方向に延びる折曲容易部５を形成する。【選択図】          図１
2005015022.tif 000002
【特許請求の範囲】
【請求項１】
断面が四角形の筒状に形成された本体を備えてなり、ガラス管を備えたランプを前記本体内に収容するランプ用サックであって、
前記本体の側壁のうち、少なくとも１つの側壁の一部に、本体の長手方向に延びる折曲容易部が形成されていることを特徴とするランプ用サック。
【請求項２】
前記折曲容易部が、前記本体の長手方向の全域に渡って形成されていることを特徴とする請求項１記載のランプ用サック。
【請求項３】
前記本体が、片面段ボール材からなり、
該片面段ボール材の波段部を外側に位置させて形成されていることを特徴とする請求項１または２記載のランプ用サック。
【発明の詳細な説明】
【０００１】
【発明の属する技術分野】
本発明はガラス管を備えたランプを収容するランプ用サックに関し、特に本体の構成に関するものである。
【０００２】
【従来の技術】
従来より、蛍光ランプ等の直管形ガラス管を備えたランプを搬送する際の個装材として、特許文献１に記載されているような、板紙もしくはライナーが４０ｇ／ｍ２程度の薄手の片面段ボール材（波段部の片面にのみライナーを設けた段ボール材）により断面が四角形の筒状に形成された本体内にランプを収容するランプ用サックが用いられている。
【０００３】
また、近年では、蛍光ランプの端部同士を近接させて連続的に配置する場合等に、蛍光ランプのソケット部等の非発光部を極力小さくするために、電極端子を蛍光管の両端面でなく、側面から取り出し、口金を蛍光管の側面側に配置した蛍光ランプが実用化されている。このような蛍光ランプでは、端部がガラスとなるためこの端部をサックにより保護する必要があるが、従来の板紙や薄手の片面段ボール材により製作されたランプ用サックでは十分に保護できない虞があるため、ライナーが１８０ｇ／ｍ２程度の厚手の片面段ボール材により製作されたランプ用サックを用いることが検討されている。
【０００４】
【特許文献１】
実開平０６−０８７２８４号公報
【０００５】
【発明が解決しようとする課題】
ところで、上記のランプ用サックの本体は、長方形の片面段ボール材を折り曲げ、端部付近をシールで接合して断面が四角形の筒状としたものが広く使われているが、このようなサックの場合、シールが収縮して本体の長手方向に渡って反りが生じることがある。
【０００６】
また、これ以外の理由によっても本体に反りが生じることがあり、ランプ用サックの本体に上記のような反りが生じると、サックに対するランプの挿抜が困難になるという問題があった。
【０００７】
この問題は、本体が厚手の片面段ボール材により形成されている場合には、より顕著になる。
【０００８】
本発明は上記問題に鑑みてなされたものであり、断面が四角形の筒状に形成された本体内に、ガラス管を備えたランプを収容するランプ用サックにおいて、サックに対するランプの挿抜を容易にすることを目的とするものである。
【０００９】
【課題を解決するための手段】
本発明によるランプ用サックは、断面が四角形の筒状に形成された本体を備えてなり、ガラス管を備えたランプを本体内に収容するランプ用サックであって、本体の側壁のうち、少なくとも１つの側壁の一部に、本体の長手方向に延びる折曲容易部が形成されていることを特徴とするものである。
【００１０】
本発明において「折曲容易部」とは、折曲容易部が設けられた側壁内において他の部分よりも折曲げが容易な部分であり、例えば、ミシン目としてもよいし、他の部分よりも薄くしたものとしてもよいし、一度折り曲げることにより折癖をつけたものとしてもよい。
【００１１】
また、上記本体を形成するものとしては、板紙、片面段ボール材、もしくは段ボール材等を用いることができる。
【００１２】
また、本体を構成する長方形の部材を折り曲げ、端部同士を互いに重ならない状態でシール等で接合して断面が四角形の筒状とした際に、接合部を四角形の角以外の場所として、この接合部を折曲容易部として機能させてもよい。
【００１３】
上記の折曲容易部は、本体の長手方向の全域に渡って形成することが好ましい。
【００１４】
また、本体を、片面段ボール材からなるものとした場合、片面段ボール材の波段部が外側に位置するものとしてもよい。
【００１５】
【発明の効果】
本発明によるランプ用サックは、断面が四角形の筒状に形成された本体内に、ガラス管を備えたランプを収容するランプ用サックであって、本体の側面のうち、少なくとも一面の一部に、本体の長手方向に延びる折曲容易部を形成しているため、本体の長手方向に渡って反りが生じてしまった場合にも、折曲容易部を折り曲げることにより、本体の反りを矯正することができるため、サックに対するランプの挿抜を容易にすることができる。
【００１６】
また、本体を、片面段ボール材からなるものとした場合、片面段ボール材の波段部が外側となるようにすることにより、特にランプピンが蛍光管の長手方向と直交する方向に突出しているようなランプを挿抜する際に、ランプピンが波段部に引っかかることがなくなるため、サックに対するランプの挿抜を容易にすることができる。
【００１７】
【発明の実施の形態】
以下、本発明の具体的な実施の形態について図面を用いて説明する。図１（Ａ）は本発明の一実施の形態によるランプ用サックの斜視図、図１（Ｂ）は上記ランプ用サックの立壁部折曲後の斜視図、図１（Ｃ）は図１（Ａ）に示すランプ用サックのＰ矢指方向からの正面図、図２（Ａ）は上記ランプ用サックの本体（片面段ボール材）の展開図、図２（Ｂ）は図２（Ａ）に示すランプ用サックの本体のＰ矢指方向からの正面図、図３は上記ランプ用サックのランプ挿入時の部分断面図である。
【００１８】
ランプ用サック１の本体は、１８０ｇ／ｍ２程度のライナー（平板部）２ａに、１２０ｇ／ｍ２程度の原紙を波型に成形した波段部２ｂが貼り合わされてなる厚手の片面段ボール材２からなり、この片面ダンボール材２の波段部２ｂには、波段部２ｂの山部と谷部とが連続する方向を長手方向として、この長手方向に延びる折曲部３が形成されている。
【００１９】
ランプ用サック１の本体は、上記の片面段ボール材２を波段部２ｂが内側となるように折曲部３で折り曲げ、図１（Ｃ）に示すように、端部同士が重ならない状態で端部付近をシール６で接合して、断面が矩形の筒状となるようにしたものである。
【００２０】
また、本体の側壁２ｃ、２ｄ、２ｅ、２ｆのうち、幅が広い側壁２ｄには、本体の長手方向の全域に渡って折曲容易部５が形成されている。折曲部３および折曲容易部５は、波段部２ｂにプレス加工を施して他の部分よりも薄くしたものである。
【００２１】
上記ランプ用サック１に収容される蛍光ランプ１０は、蛍光管１１の側面に口金１２が取り付けられ、この口金１２に２本のランプピン１３が設けられたものである。
【００２２】
この蛍光ランプ１０をランプ用サック１に挿抜する際に、ランプ用サック１の本体の長手方向に渡って反りが生じてしまっている場合でも、本発明によるランプ用サック１においては、本体の側面に折曲容易部５が形成されており、この折曲容易部５を折り曲げることにより、本体の反りを矯正することができるため、サックに対するランプの挿抜を容易にすることができる。
【００２３】
また、片面段ボール材２の長手方向両端部には、切込部４が設けられており、シール６の切込部４に対応する部位にも切込みが設けられている。このような切込部４を設けることにより、図１（Ｂ）に示すように立壁部７を折曲容易部５で折り曲げることにより、立壁部７が本体の開口部中央付近において立壁となるため、図３に示すように本体内部に収容された蛍光ランプ１０が抜け落ちるのを防止することができる。
【００２４】
上記実施の形態において折曲容易部は、本体の長手方向の一端から他端までの間の全域に渡って形成したが、必ずしもそのような態様に限定されるものではなく、本体の長手方向のある程度の領域に形成していれば、上記と同様の効果を得ることができる。
【００２５】
また、折曲容易部を形成する場所および本数についても、上記の態様に限定されるものではなく、対向する２つの側壁に設けたりする等、どのような態様としてもよい。
【００２６】
また、本体の断面形状についても、矩形に限らず、正方形であってもよい。
【００２７】
また、ランプ用サックの本体を、片面段ボール材の波段部が外側となるようにすることにより、ランプを挿抜する際に、ランプピンが波段部に引っかかることがなくなるため、サックに対するランプの挿抜を容易にすることができる。
【００２８】
さらに、本発明によるランプ用サックに収容するランプについても、上記のランプに限定されるものではなく、例えば直管形ランプ、コンパクト型ランプ、電球型ランプ等、どのようなランプであってもよい。
【図面の簡単な説明】
【図１】本発明の一実施の形態によるランプ用サックの斜視図（Ａ）、上記ランプ用サックの立壁部折曲後の斜視図（Ｂ）、（Ａ）に示すランプ用サックのＰ矢指方向からの正面図（Ｃ）
【図２】上記ランプ用サックの本体（片面段ボール材）の展開図（Ａ）、（Ａ）に示すランプ用サックの本体のＰ矢指方向からの正面図（Ｂ）
【図３】上記ランプ用サックのランプ挿入時の部分断面図
【符号の説明】
１    ランプ用サック
２    片面ダンボール材
３    折曲部
４    切込部
５    折曲容易部
６    シール
７    立壁部
１０    蛍光ランプ
１１    蛍光管
１２    口金
１３    ランプピン
【図１】
2005015022.tif 000003
【図２】
2005015022.tif 000004
【図３】
2005015022.tif 000005